(57)【要約】【課題】接続が簡単且つ確実にできる。【解決手段】コネクタ本体と，前記コネクタ本体に枢着され，外周の対向する位置には平行に配設した一対の平面部が形成され，内周に接続対象のＦ型レセプタクルが挿入されるための拡開性を持つと共に該Ｆ型レセプタクルの先端部に形成された雄ネジと螺合する雌ネジ部が形成された接続手段と，前記コネクタ本体に同一中心軸を有するように内設した，該コネクタ本体内に固定するためのリング形状の係止部と，該係止部からコネクタ本体の中心軸方向へ向けて突設しその先端内周部が前記同軸ケーブル周囲を咬持する咬持部とを備え，前記コネクタ本体内の後方端部に固定手段によって固定された抜け止め具と，から成り，同軸ケーブル端部を前記コネクタ本体内へ後方から挿入操作することで，前記抜け止め具は，前記咬持部が前記同軸ケーブル周囲を咬持して同軸ケーブルの抜脱を阻止する。【選択図】  図１
2007273344.tif 000002
【特許請求の範囲】
【請求項１】
少なくとも，同軸ケーブルを挿入して装着する円筒状部と，前記円筒状部に装着する同軸ケーブルの内部絶縁体と外部導体との間に挿入される円筒状挿入部を備えたコネクタ本体と，
該コネクタ本体内の後端部に固定手段によって固定された抜け止め具と，
前記コネクタ本体の前方に枢着され，接続対象のＦ型レセプタクルと接続するための接続手段と，を具備し，
所定寸法に処理された同軸ケーブル端部を前記コネクタ本体内へ前記固定手段を介して挿入操作することで，前記抜け止め具が同軸ケーブルの抜脱を阻止するように構成された同軸ケーブルコネクタにおいて，
前記接続手段は，前記コネクタ本体の前方の外周に枢着するための円筒状基部と，接続対象を接続するための円筒状受け口部からなり，
前記接続手段の前記円筒状基部には，外周の対向する位置に平行に配設した一対の平面部からなる２面幅が形成されており，
前記操作手段は，前記平面部に対向する位置に，該平面部に対応する形状に貫通した当付孔を有し，該当付孔の，少なくとも円筒状操作手段の軸線に直交する平面方向の外周に形成される開口端面が，前記平面部と略同一平面上若しくは僅かに軸線側となるように構成されている，
ことを特徴とした同軸ケーブルコネクタ。
【請求項２】
前記接続手段の前記円筒状受け口部は，内周に接続対象のＦ型レセプタクルが挿入されるための拡開性を持つと共に該Ｆ型レセプタクルの先端部に形成された雄ネジと螺合する雌ネジ部が形成されたことを特徴とした請求項１に記載の同軸ケーブルコネクタ。
【請求項３】
前記円筒状操作手段は，外周面に滑り止めの凸凹を有することを特徴とした請求項１又は請求項２の何れか一項に記載の同軸ケーブルコネクタ。
【請求項４】
前記円筒状操作手段の前方側端部には，径方向外方に突出した押圧用の指掛けを有することを特徴とした請求項請求項１乃至請求項３の何れか一項に記載の同軸ケーブルコネクタ。
【請求項５】
前記コネクタ本体の前方側先端の外周縁部に段差が設けられ，該段差には，コネクタ本体の中心軸と同心円を形成するリング状に形成され，周径は前記円筒状基部の内周と前記段差との間に形成される環状凹部に保持される大きさで，中心軸方向の寸法は前記段差より僅かに大きく前記コネクタ本体の先端より突出するように形成された導電性弾性材からなる接触リングを備えたことを特徴とした請求項１乃至請求項４の何れかに記載の同軸ケーブルコネクタ。
【発明の詳細な説明】
【技術分野】
【０００１】
本発明は，同軸ケーブルを接続対象のＦ型レセプタクルに接続するために同軸ケーブル端部に装着する同軸ケーブル用コネクタに関する。
【背景技術】
【０００２】
編組導体（外部導体）とラミネート箔との間に挿入する本体挿入部を備える筒状のコネクタ本体と，コネクタ本体の基端部に枢着すると共に接続対象の外部導体（Ｆ型レセプタクル）に螺合するように形成した接続手段と，同軸ケーブルにコネクタ本体を挿入後，本体挿入部を圧着固定する固着リングとを備えた同軸ケーブルコネクタにおいて，本体挿入部にすり割りを形成したり，本体挿入部の先端部に隆起部を備えたり，コネクタ本体内面に，螺旋状の突起を刻設したりすることによって，この接続部からノイズの侵入あるいは放出がなく，及び，固着力の優れた接続を行うことのできる同軸ケーブルコネクタが提案されており，接続対象のＦ型レセプタクルに接続手段を螺合する事によって抜け難い接続ができる。
（例えば，特許文献１参照）
【０００３】
【特許文献１】特開２００１−２９７８３９号公報
【発明の開示】
【発明が解決しようとする課題】
【０００４】
ところが，このように構成された同軸ケーブルコネクタは，同軸ケーブルの装着において，固着リングをカシメることによって同軸ケーブルとコネクタ本体を圧着固定する必要があり，この圧着作業は簡単ではなく，また，工具を用いて強く締付ける必要があるのでその作業は危険性を伴うものであるという同軸ケーブルの装着の方法に問題があった。    また，同軸ケーブルの装着が完了してもその同軸ケーブルコネクタの接続作業に問題があった。即ち，同軸ケーブルコネクタが，Ｆ型レセプタクルの周囲に差し込むだけで接続できるＦ型プラグ式のものであればその接続は簡単であるものの，簡単に抜けてしまうといった信頼性の点で問題があり，従来例の如くネジ付きのコネクタを使って螺合による接続をする場合は，引き抜け難い接続ができ信頼性は高いものの，その接続操作が煩雑であると言った問題がある。特に，接続対象のＦ型レセプタクルが，例えばテレビ端子であるとすると，このテレビ端子はパネルに供えられた円筒状の空間にＦ型レセプタクルが備えられた非突出型である物が多く，Ｆ型レセプタクルの周囲に空間が殆どないことから同軸ケーブルコネクタの接続作業が非常にやり難く，差込型のものを使用せざるを得ないものであった。
一方，地上デジタル放送が急速に進歩し，パソコンに地上アナログ放送チューナや地上デジタル放送チューナが内蔵され，パソコンのモニタでテレビを楽しむ事が増えてきた。また，小型で軽量な液晶テレビも普及しており，パソコンや液晶テレビを自在に持ち運んで，必要な時に必要な場所でテレビを見るようになってきている。従って，テレビやノートパソコンとテレビ端子とを接続するケーブルは，その接続作業が簡単で且つ確実にできるものが望まれる。また一方では，画面サイズの大きな液晶テレビも普及しており，この場合，大型の液晶テレビは自在に持ち運べないので，テレビ端子が設置された壁面の近傍に，テレビ台などに乗せられて設置されることになる。つまりテレビとテレビ端子とを接続するケーブルはテレビ台等を動かさずには設置や取り外しがし難いので，一度接続したものは，長年にわたって緩むことなく確実に接続を維持することが望まれる。
つまり，近年，ユーザーにとってテレビ受信用のコネクタは，受信環境にフレキシブルに対応できるように，接続作業が煩雑でなく簡単にできる操作性のよさや，体にやさしい取扱性を合わせ持つ製品であることが重要であるばかりでなく，合わせて，高信頼性・高耐久性を必要とする使用条件にも対応できる製品であることも求められるのである。しかも，デジタル放送受信に使用する場合には，外部からの妨害電波によって，映像にブロックノイズが発生したり映像がフリーズしたり，酷いときには映像断となったりといった，デジタル放送に特有の症状が発生する恐れがあり，高周波特性が良いことは言うまでもなく，優れたイミュニティー特性を有する製品であることも要求されるなど，幅広い用途に対応できるように構成されている必要がある。
そこで，本発明は上記問題点に鑑み，同軸ケーブルコネクタへの同軸ケーブルの装着が簡単であるばかりでなく，この同軸ケーブルが抜け難く且つ回転し難い同軸ケーブルコネクタを提供することを目的とする。
更に他の目的は，同軸ケーブルの装着が簡単であるばかりでなく，簡単な操作によって同軸ケーブルの取り外しができる同軸ケーブル用コネクタを提供することを目的とする。  他の目的は，接続対象のＦ型レセプタクルへの取付けが簡単で，かつ，引き抜け難い同軸ケーブルコネクタを提供することを目的とする。
他の目的は，小型で配線がスッキリできる同軸ケーブルコネクタを提供することを目的とする。
他の目的は，接続対象のＦ型レセプタクルが非突出型であっても接続操作が簡単で，且つ，引き抜け難い同軸ケーブルコネクタを提供することを目的とする。
他の目的は，高周波特性及びイミュニティー特性のよい同軸ケーブルコネクタを提供することを目的とする。
【課題を解決するための手段】
【０００５】
上記課題を解決するために，請求項１の発明は，少なくとも，少なくとも，同軸ケーブルを挿入して装着する円筒状部と，前記円筒状部に装着する同軸ケーブルの内部絶縁体と外部導体との間に挿入される円筒状挿入部を備えたコネクタ本体と，
該コネクタ本体内の後端部に固定手段によって固定された抜け止め具と，
前記コネクタ本体の前方に枢着され，接続対象のＦ型レセプタクルと接続するための接続手段と，を具備し，
所定寸法に処理された同軸ケーブル端部を前記コネクタ本体内へ前記固定手段を介して挿入操作することで，前記抜け止め具が同軸ケーブルの抜脱を阻止するように構成された同軸ケーブルコネクタにおいて，
前記接続手段は，前記コネクタ本体の前方の外周に枢着するための円筒状基部と，接続対象を接続するための円筒状受け口部からなり，
前記接続手段の前記円筒状基部には，外周の対向する位置に平行に配設した一対の平面部からなる２面幅が形成されており，
前記操作手段は，前記平面部に対向する位置に，該平面部に対応する形状に貫通した当付孔を有し，該当付孔の，少なくとも円筒状操作手段の軸線に直交する平面方向の外周に形成される開口端面が，前記平面部と略同一平面上若しくは僅かに軸線側となるように構成した。
【０００６】
請求項２の発明は，請求項１に記載の同軸ケーブルコネクタにおいて，前記接続手段の前記円筒状受け口部は，内周に接続対象のＦ型レセプタクルが挿入されるための拡開性を持つと共に該Ｆ型レセプタクルの先端部に形成された雄ネジと螺合する雌ネジ部が形成される。
【０００７】
請求項３の発明は，請求項１又は請求項２の何れか一項に記載の同軸ケーブルコネクタにおいて，前記円筒状操作手段は，外周面に滑り止めの凸凹を有するように構成した。
【０００８】
請求項４の発明は，請求項１乃至請求項３の何れか一項に記載の同軸ケーブルコネクタにおいて，前記円筒状操作手段の前方側端部には，径方向外方に突出した押圧用の指掛けを有するように構成される。
【０００９】
請求項５の発明は，請求項１乃至請求項４の何れか一項に記載の同軸ケーブルコネクタにおいて，前記コネクタ本体の前方側先端の外周縁部に段差が設けられ，該段差には，コネクタ本体の中心軸と同心円を形成するリング状に形成され，周径は前記円筒状基部の内周と前記段差との間に形成される環状凹部に保持される大きさで，中心軸方向の寸法は前記段差より僅かに大きく前記コネクタ本体の先端より突出するように形成された導電性弾性材からなる接触リングを備えるように構成される。
【発明の効果】
【００１０】
請求項１の発明によれば，少なくとも，少なくとも，同軸ケーブルを挿入して装着する円筒状部と，前記円筒状部に装着する同軸ケーブルの内部絶縁体と外部導体との間に挿入される円筒状挿入部を備えたコネクタ本体と，
該コネクタ本体内の後端部に固定手段によって固定された抜け止め具と，
前記コネクタ本体の前方に枢着され，接続対象のＦ型レセプタクルと接続するための接続手段と，を具備し，
所定寸法に処理された同軸ケーブル端部を前記コネクタ本体内へ前記固定手段を介して挿入操作することで，前記抜け止め具が同軸ケーブルの抜脱を阻止するように構成された同軸ケーブルコネクタにおいて，
前記接続手段は，前記コネクタ本体の前方の外周に枢着するための円筒状基部と，接続対象を接続するための円筒状受け口部からなり，
前記接続手段の前記円筒状基部には，外周の対向する位置に平行に配設した一対の平面部からなる２面幅が形成されており，
前記操作手段は，前記平面部に対向する位置に，該平面部に対応する形状に貫通した当付孔を有し，該当付孔の，少なくとも円筒状操作手段の軸線に直交する平面方向の外周に形成される開口端面が，前記平面部と略同一平面上若しくは僅かに軸線側となるように構成したので，
同軸ケーブルコネクタに対しての同軸ケーブル接続が簡単にできる。加えて，円筒状操作手段の当付孔を介して接続手段の平面部に直接工具を当付て締付けができ，円筒状操作手段を備えても，接続手段の締付け性を損なうことがないので強固に接続することができる。また，接続手段に備えた回転操作部としての円筒状操作手段と２面幅の位置が，円筒状受け口部の後方の略同じ位置に重なるように構成されているので，工具の掛け代を操作手段の後方にしなえさせる必要が無く，プラグの前後方向の長さを所定以上に長くすることもなく小型にできる。つまり，例えば接続対象のＦ型レセプタクルがテレビ端子によく見られる非突出型であっても，その接続作業は指先であろうが工具を使ってであろうが何れの方法でも簡単に行うことができ，しかも抜け落ちないように強固に保持できるのである。また，小型であることからテレビ端子が取付けられた壁面からの突出寸法も短くできるのである。
【００１１】
請求項２の発明によれば，請求項１に記載の同軸ケーブルコネクタにおいて，請求項１に記載の同軸プラグにおいて，前記接続手段の前記円筒状受け口部は，内周に接続対象のＦ型レセプタクルが挿入されるための拡開性を持つと共に該Ｆ型レセプタクルの先端部に形成された雄ネジと螺合する雌ネジ部が形成されるように構成したので，
接続対象のＦ型レセプタクルが雌ネジ部に当接するまでは摺動によって挿着し，当接した後はＦ型レセプタクルの先端部に前記雌ねじ部を螺合させれば接続が完了するので，接続作業が簡単で時間短縮が可能になる。しかも引き抜け難く信頼性が高い。
【００１２】
請求項３の発明によれば，請求項１又は請求項２の何れか一項に記載の同軸ケーブルコネクタにおいて，前記円筒状操作手段は，外周面に滑り止めの凸凹を有するように構成したので，
滑り止め作用によって指先での回転操作が容易と成る。
【００１３】
請求項４の発明によれば，請求項１乃至請求項３の何れか一項に記載の同軸ケーブルコネクタにおいて，前記円筒状操作手段の前方側端部には，径方向外方に突出した押圧用の指掛けを有するように構成したので，
同軸ケーブルコネクタに対しての同軸ケーブル接続時に同軸ケーブルコネクタを保持し易くなる。また，Ｆ型レセプタクルへの接続時には，接続手段に対して指先による押圧力を加え易くなり，接続対象のＦ型レセプタクルへの接続作業がよりスムーズにやり易くなる。そして，このＦ型レセプタクルがテレビ端子によく見られる円筒状の空間に埋め込まれた非突出型のものに対して接続する場合，指掛けがテレビ端子を閉塞しているパネルに対して近接して配設され，パネルから突出することが少なくなるので，接続後に指掛けが邪魔になることはない。
【００１４】
請求項５の発明によれば，請求項１乃至請求項４の何れか一項に記載の同軸ケーブルコネクタにおいて，前記コネクタ本体の前方側先端の外周縁部に段差が設けられ，該段差には，コネクタ本体の中心軸と同心円を形成するリング状に形成され，周径は前記円筒状基部の内周と前記段差との間に形成される環状凹部に保持される大きさで，中心軸方向の寸法は前記段差より僅かに大きく前記コネクタ本体の先端より前方に突出するように形成された導電性弾性材からなる接触リングを備えるように構成したので，
同軸プラグを接続対象のＦ型レセプタクルの接続したときに，該Ｆ型レセプタクルの外部導体の加工や製法によってバラツキがある先端と，コネクタ本体の前方側先端との間の電気的接続を安定させ，高周波特性及びイミュニティー特性を良好に維持することができる。
また，同軸ケーブルコネクタがＦ型レセプタクルに螺合によって接続するように構成されている場合，接触リングが中心軸方向に僅かに突出するように形成されていることから，先ずＦ型レセプタクルの先端が接触リングに当接し，更に螺合を進めることによって接触リングは弾性変形して押しつぶされる。しかし，次にＦ型レセプタクルの先端は，コネクタ本体の前方側先端に当接する事によって螺合が完了するので，接触リングは必要以上押しつぶされることが無い。即ち，螺合による回転方向への負荷が接触リングに必要以上に加わらないので，接触リングが摩擦などによって切断してしまうといったことも無く，同軸プラグの着脱の繰り返しにも絶え得る高信頼性を有すると共に，着脱を繰り返しても良好な電気的特性を維持できるのである。
【発明を実施するための最良の形態】
【００１５】
以下に，本発明を具体化した実施形態の例を，図面を基に詳細に説明する。
図１は本発明に係る同軸ケーブル用コネクタの第１の実施形態を示し，同軸ケーブルを挿入した状態を一部断面で示した同軸ケーブル用コネクタの側面図。図２は図１の同軸ケーブル用コネクタにおいて，同軸ケーブル挿入前の側面図である。図３は図１の同軸ケーブルコネクタにおけるコネクタ本体を説明するための一部断面で示した側面図である。図４は同軸ケーブルコネクタを構成する接続手段の一部断面を示す説明図であり，（ａ）は上面図，（ｂ）は側面図。図５は同軸ケーブルコネクタを構成する接続手段に備える円筒状操作手段の一部断面を示す説明図であり，（ａ）は上面図，（ｂ）は側面図。図６は同軸ケーブルコネクタを構成する接続手段に円筒状操作手段を取付けた状態の説明図であり，（ａ）は上面図，（ｂ）は側面図。図７は円筒状操作手段の異なる実施例を備えた接続手段の説明図であり，（ａ）は上面図，（ｂ）は側面図である。図８はコネクタをテレビ端子に接続するときの説明図であり，（ａ）は接続前の状態を示し，（ｂ）は接続後の状態を示す。図９は図３に示すコネクタ本体のケーブル挿通孔を説明するために拡大して示す斜視図であり，（ａ）は本発明の実施例，（ｂ）は異なる実施例を示す。図１０は抜け止め具の説明図であり（ａ）は上面図，（ｂ）はＡ−Ａ線端面図である。図１１は抜け止め具の異なる実施例を示す説明図であり（ａ）は上面図，（ｂ）はＢ−Ｂ線端面図である。図１２は本発明に係る同軸ケーブル用コネクタの異なる実施形態を示し，同軸ケーブルを挿入した状態を一部断面で示した同軸ケーブル用コネクタの側面図。図１３は図１２におけるコネクタ本体を説明するための一部断面で示した側面図である。図１４は図３におけるコネクタ本体の異なる実施例を説明するための一部断面で示した側面図である。図１５は図１４のコネクタ本体を使った同軸ケーブル用コネクタの異なる実施形態を示し，同軸ケーブルを挿入した状態を一部断面で示した同軸ケーブル用コネクタである。
尚，以下の説明では特に明記しないかぎリ，同軸ケーブルが装着される側を後方，Ｆ型レセプタクルを受入れる側を前方とする。  
【実施例１】
【００１６】
図１において，４１は後端部にケーブル装着手段を備え，同軸ケーブル７（以下，単にケーブルと称する。）に外嵌する筒状のコネクタ本体，５０はコネクタ本体の前方に連結されたレセプタクル等の接続対象に接続する接続手段である。本発明の第１の実施形態におけるケーブル装着手段は，装着したケーブルの抜けを防止する抜け止め具１３０，抜け止め具１３０を固定する固定手段としての蓋体１３，装着するケーブル７の内部絶縁体７ｂと外部導体７ｃの間に挿入する円筒状挿入部６とから構成されている。
【００１７】
図３によく示されるように，コネクタ本体４１は，後部に同軸ケーブルの端部を挿入するためのケーブル挿通孔１４３を有し，前部に前記ケーブル挿通孔１４３と同一中心軸線上に連設する嵌合孔４３を有した第１の円筒状部４４と，後部に装着するケーブル７の内部絶縁体７ｂと外部導体７ｃの間に挿入する前記円筒状挿入部６を有し，前部には前記円筒状挿入部６と一部同心円筒を形成するように設けた円筒状止着部４６を備えた第２の円筒状部４７から構成されている。第２の円筒状部４７は，前記円筒状部４４のケーブル挿通孔１４３によって形成される同軸ケーブルの収納空間内部に，前記円筒状挿入部６が突出するように嵌合孔４３の前方側から挿入され，円筒状止着部４６の中間地点４６ａにおいて前記嵌合孔４３に圧入固着によって取付けられている。
そして前記第２の円筒状部４７は，内部に一体的に同一径で形成されている挿通孔２０１を有し，その円筒状挿入部６の外周は先細の後方端部から円筒状止着部４６にかけて肉厚を徐々に厚く成るように円錐状に形成されてケーブル７の内部絶縁体７ｂと外部導体７ｃの間に挿入し易く形成されている。
また，第２の円筒状部４７を構成する円筒状止着部４６の前方先端部には，外周方向に突設した鍔部４６ｂが形成されており，第１の円筒状部４４と第２の円筒状部４７とを組付けた状態で，前記第１の円筒状部４４の前方端と，前記鍔部４６ｂの後方側面との間には環状溝部４８が形成されるように構成されている。この環状溝部４８は後に詳述する接続手段５０を枢着するためのガイド溝であり，このため，予め接続手段５０に前記第２の円筒状部４７を組付けた状態で，この第２の円筒状部４７を前記第１の円筒状部４４に形成された嵌合孔４３に圧入固着することによって，接続手段５０はコネクタ本体の前方で枢着されて抜け落ちることがない。
【００１８】
尚，図には示されていないが，円筒状挿入部６の側面に，この円筒状挿入部６と同様に，円筒状止着部４６から円筒状挿入部６の先端に亘って徐々に低く形成されている回転阻止手段としての直線状の帯状突起を１又は複数形成すれば，接続されたケーブルの回転方向の動きに対して信頼性の高いものとなる。この帯状突起は１つだけであっても良いし，円筒状挿入部６の前方から後方端部にかけて全体に形成せず，一部だけに設けても良い。また，帯状突起の替わりに，円筒状挿入部６の側面にローレットを形成してもよい等実施例に限定されるものではない。また，円筒状挿入部６の先端部外周に突起部を形成すればケーブル７の引き抜け方向にも強くなる。
また，第２の円筒状部４７は第１の円筒状部４４に一体形成することもできるなど，実施の形態に限定されるものではない。
【００１９】
更に，第１の円筒状部４４に形成されたケーブル挿通孔１４３の内面から中心軸方向に向かって，同軸ケーブルの収納空間の前方から後方部に亘り回転阻止手段としての直線状の帯状突起４５が複数形成されている。この帯状突起４５は，例えば断面形状を四角形状や３角形状に形成されており，本願の実施例ではケーブル挿通孔の開口部側が先端に向けて徐々に低く形成されている。このように，コネクタ本体４１の内部に帯状突起４５を形成したので，同軸ケーブル挿入操作により，内部絶縁体７ｂと外部導体７ｃの間に円筒状挿入部６が進入し，保護被覆７ｄが円筒状挿入部６の周囲にせり上がって行くことになり，帯状突起４５が確実に保護被覆７ｄに食い込む。
尚，本願の実施例では第１の円筒状部４４内面に形成された帯状突起４５を備えさせた例を示したが，特にこの実施例に限定されるものではなく，前記図には示されていない前記円筒状挿入部６の外周に形成された帯状突起との組合せで使用しても良いし，所望の性能を得られるのなら何れか一方だけ備えさせてもよい。
また帯状突起は，夫々に対して対向する２ヶ所だけに設けても回転阻止に十分有効であるし，１ヶ所だけであっても，回転阻止力を発揮させることは可能である。
【００２０】
次に，接続手段５０について図４を用いて詳細に説明する。尚，図４（ａ）は上面図であり，（ｂ）は側面図である。この図によく示されるように本発明における接続手段５０は，前記コネクタ本体４１の外周に，円周方向に回動可能に枢着するように取付けるための円筒状基部５１と，該円筒状基部５１の前方側に延長させ，内周に接続対象のＦ型レセプタクルが挿入されるための拡開性を持つ円筒状受け口部５５とから構成された金属材料などの導電材を加工したものである。
前記円筒状基部５１の内面には軸心方向に突設した凸部５３が形成されており，該凸部５３が，前記第２の円筒状部４７の後方側を前記第１の円筒状部４４に圧入固着したときに形成される環状溝部４８に嵌め込まれて，円筒状基部５１（即ち，接続手段５０）はコネクタ本体４１の前方に回転自在に枢着される。即ち，接続手段５０の円筒状受け口部５５側から前記第２の円筒状部４７を挿通し，その後に，該第２の円筒状部４７を前記第１の円筒状部４４に圧入固着する事によって組立てが完了し抜け落ちることがない。
尚，円筒状基部５１の外周に形成された５２はローレットであり，後述する円筒状操作手段の滑り止めのために形成されたものであり，滑り止めとしての他の手段を備えさせればローレットは無くてもよい。また，５１ａ，５１ｂは円筒状基部５１の外周であって相対向する位置に形成された，所定の大きさからなる一対の平面部であり，この平面部５１ａ，５１ｂによって円筒状基部５１に２面幅が形成されている。
【００２１】
前記円筒状受け口部５５には，接続対象のＦ型レセプタクルの受入れを容易にすると共にＦ型レセプタクルの外部導体との接続をよくするために，該円筒状受け口部５５の前方端から後方にかけて軸方向に延びる少なくとも１つのすり割り５５ａが形成されている。更に，円筒状受け口部５５の先端部の外周には，リングバネ５６が備えられることによって，このリングバネ５６の締め付け作用によって円筒状受け口部５５内周とＦ型レセプタクルの外周とがより確実に接続されるように構成されている。
尚，円筒状受け口部５５の構成は，すり割り５５ａに替えて，円筒状受け口部５５の内周に導電性を有した弾性材からなる軸方向に長いリング状のバネを備えさせてもよく，特に実施例に限定されるものではない。
【００２２】
更に，円筒状受け口部５５内面の後方部には，接続対象のＦ型レセプタクルの先端部に形成された雄ネジと螺合する雌ネジ部５７が形成されており，本願の実施形態における雌ネジ部５７は，前記Ｆ型レセプタクルの雄ネジの先端部との間において略３回転螺合するようなネジ山数に形成されている。尚，本発明の実施形態においては，円筒状受け口部をＦ型レセプタクルに螺合した状態において引き抜け方向に対する強度を所定値以上となるように目標を定めたことから，略３回転螺合するようなネジ山数に形成したが，特に実施例に限定されるものではなく，３回転より多くても良いし，３回転の螺合より少なくてもよい。
【００２３】
この円筒状受け口部５５は，接続対象のＦ型レセプタクルに対して，上記実施例の如く摺動と螺合の組合せで接続するように構成されるばかりでなく，摺動固着した状態で電気的に接続され，更に前記雌ネジ部５７を接続対象であるＦ型レセプタクルの雄ネジに螺合させても使用できるといった２様の接続方法が可能なように決めても良いし，受け口部５５内周の略前面に雌ネジを形成し螺合だけ（所謂，ねじ込み式）の接続で使用するように構成してもよい等，その接続手順は何れであってもよい。
また，円筒状受け口部５５の奥行は，軸方向の寸法が規格値における最小であるＦ型レセプタクルに対して螺合した状態で，前記コネクタ本体４１（言い換えれば，第２の円筒状部４７）の右側先端４９が，前記Ｆ型レセプタクルの先端面と当接する（即ち，コネクタを締付けたときに，円筒状受け口部５５の前端が，Ｆ型レセプタクルが取付けられた台座，例えば，ハウジングやシールドケースなどの壁面に当接しない）ように円筒状受け口部５５の奥行が定められておれば，高周波特性やイミュニティーの優れたものとすることができる。
更に，円筒状受け口部５５に形成された前記すり割り５５ａは，例えば，コネクタを接続対象のＦ型レセプタクルに摺動固着した状態で使用する場合を勘案して，円筒状受け口部５５に受入れたＦ型レセプタクルの寸法より僅かに短く形成すれば，すり割りによって生じる隙間がＦ型レセプタクルによって塞がれ，高周波信号が漏れたり，外部からの妨害電波によって影響を受けたりすることがない。
即ち，本発明によれば，接続対象のＦ型レセプタクルが雌ネジ部５７に当接するまでは摺動によって挿着し，当接した後はＦ型レセプタクルの先端部に前記雌ねじ部５７を螺合させれば接続が完了するので，接続作業が簡単で時間短縮が可能になり，しかも抜け落ちないように固着できる。また，このように簡単な接続作業であっても，外部からの妨害電波に対するイミュニティー特性や高周波特性に優れたものとなる。
【００２４】
ここで，本発明の同軸プラグの異なる実施例を図１４，１５を基に説明する。この実施例では，図１４に示されるように，前記コネクタ本体４１の前方側先端４９（即ち，第２の円筒状部４７の先端）の外周縁部に段差４９ａａが設けられ，該段差４９ａには，コネクタ本体４１の中心軸と同心円を形成するリング状に形成され，周径は前記接続手段５０の内周と前記段差４９ａとの間に形成される環状凹部に保持される大きさで，中心軸方向の寸法は前記段差より僅かに大きく前記コネクタ本体４１の先端４９より突出するように形成された導電性弾性材からなる接触リング６１を備えたものである。
つまり，上述のような同軸ケーブルコネクタがＦ型レセプタクルに螺合によって接続するように構成されている場合，接触リング６１が中心軸方向前方に僅かに突出するように形成されていることから，先ずＦ型レセプタクルの先端が接触リング６１に当接し，更に螺合を進めることによって接触リング６１は弾性変形して押しつぶされる。しかし，次にＦ型レセプタクルの先端は，コネクタ本体２０の前方側先端４９に当接する事によって螺合が完了するので，接触リング６１は必要以上押しつぶされることが無い。即ち，螺合による回転方向への負荷が接触リング６１に必要以上に加わらないので，接触リング６１が摩擦などによって捩れたり切断したりしてしまうといったことも無く，同軸ケーブルコネクタの着脱の繰り返しにも絶え得る高信頼性を有すると共に，着脱を繰り返しても良好な電気的特性を維持できるのである。
【００２５】
図５に示される１５１は，円筒状基部５１の外周面の全て若しくは一部を被うように形成された合成樹脂材からなる円筒状操作手段であり，接続手段５０の接続操作を行うためのものである。
本発明の実施例では，この円筒状操作手段１５１は全体形状が略円形筒状で合成樹脂材からなり，前記円筒状基部５１に嵌め込まれたりモールド加工されたりして取付けられる。そして円筒状操作手段１５１の外周面には，凸凹１５３が適宜に形成されており，その滑り止め効果によって接続作業に容易性を持たせることができる。また，円筒状操作手段１５１を弾性を有する柔らかな素材で形成すれば，接続操作において指先に加わる負担も軽減される。
この円筒状操作手段１５１を円筒状基部５１に取付けた状態を図６に示す。このとき，操作手段の該円筒状部５１に形成された２面幅の平面部５１ａ，５１ｂに対向する位置に，夫々の平面部５１ａ，５１ｂに対応する形状に形成されて貫通した当付孔１５１ａ，１５１ｂを形成し，該当付孔１５１ａ，１５１ｂの，少なくとも円筒状操作手段１５１の軸線に直交する平面方向の外周に形成される開口端面１５２ａ，１５２ｂが，前記平面部５１ａ，５１ｂと略同一平面上若しくは僅かに軸線側となるように構成することによって，円筒状操作手段１５１を備えても，レンチやスパナのような工具で直接に平面部５１ａを挟み込んでの機械的な接続もできるし，指先での接続もでき，円筒状操作手段１５１が接続手段５０の締付け性を損なうことがない。
【００２６】
本発明の実施形態においては，円筒状操作手段１５１は前方側と後方側が略同一周径で形成されている例を示しているが，図７に示されるように後方側開口端部の外周径より前方側開口端部の外周径の方を大きくして，円筒状操作手段１５１の前方側開口端部の外周面に押付用の指掛け１５５を備えさせてもよい。即ち，本発明の目的には，コネクタの接続の煩雑さを低減すると共に，それでも引き抜け難い接続ができるようにすることが含まれており，そのため接続方法は，対象のＦ型レセプタクルが雌ネジ部５７に当接するまでは摺動によって挿着し，当接した後はＦ型レセプタクルの先端部に前記雌ネジ部５７を螺合させて接続が完了するように構成されている。従って，接続時にはコネクタをＦ型レセプタクルに対して押付けるように力を加えながら行えば，その接続作業はスムーズで確実に行うことができる。つまり，前記指掛け１５５は円筒状操作手段１５１の前方側開口端部の径方向外方に突設されていて，指先が指掛け１５５に当て付け易くなっており，接続手段に対して押圧力を加え易くなり，雌ネジ部５７がＦ型レセプタクルにスムーズに螺合することができるのである。このコネクタを，例えば図８に示されるように接続対象のＦ型レセプタクル８５がテレビ端子８０によく見られる円筒状の空間８３に埋め込まれた非突出型のものに対して接続する場合，凸凹１５３の滑り止め効果と指掛け１５５の押圧力の受止作用によって接続が簡単にできる。そして，接続状態においては指掛け１５５がテレビ端子を閉塞しているパネル８２に対して近接することになり，パネル８２から突出することが少なくなるので，指掛け１５５が邪魔になることはない。また，コネクタをレセプタクルから引き抜くためには，まず円筒状操作手段１５１（即ち，接続手段）を回転操作すればよく，格別に指掛け１５５を必要としないが，Ｆ型レセプタクルに対する螺合が解除されれば，パネル８２と指掛け１５５との間の間隙が大きくなり，指掛け１５５に指を掛け易くなることから，指掛け１５５はプラグの引き抜き手段としての役割を有することになる。
【００２７】
以上，本発明の同軸ケーブルコネクタのＦ型レセプタクルに対する接続性について説明したが，本発明によれば，接続手段５０の回転操作部である円筒状操作手段１５１と，円筒上基部５１に形成された２面幅の位置が，円筒状受け口部５５の後方に順番に配設された構成ではなく，略同じ位置に重なるように構成されているので，コネクタの接続手段の多様性を有しながら，コネクタの前後方向の長さを所定以上に長くすることもなく小型にできるのである。つまり，例えば接続対象のＦ型レセプタクルがテレビ端子によく見られる非突出型であっても，その接続作業は指先であろうが工具を使ってであろうが何れの方法でも簡単に行うことができ，しかも抜け落ちないように強固に保持できる。また，小型であることからテレビ端子が取付けられた壁面からの突出寸法も短くできるのである。
尚，円筒状操作手段１５１を剛性を有する合成樹脂材で形成されておれば，円筒状操作手段１５１の外周に２面幅を形成すれば良く，この場合，前記貫通孔１５１ａ，１５１ｂを設ける必要はない。従って，円筒状基部５１に２面幅を形成する必要がなくコストの削減ができる。
また，このように円筒状基部５１に円筒状操作手段１５１を備えた場合，円筒状基部５１に形成されたローレットはなくてもよいが，ローレットが形成されておれば円筒状操作手段１５１の内面に形成された溝（図には示されていない）と嵌合させて円筒状操作手段１５１の空回りを防止し，その円筒状操作手段１５１に加わる力をロスなく伝えることができる。更に円筒状操作手段１５１の外周面に形成された凸凹１５３の滑り止め効果を加えれば，接続手段５０の接続対象であるＦ型レセプタクルへの接続が，指先であっても簡単，且つ，強固に締付けることができる。
また，２面幅を従来のネジ式Ｆ型コネクタと同じである１１ｍｍとすれば，本発明のコネクタに対して，従来から使用している冶工具がそのまま使え，利便性を損なうことがない。
【００２８】
次に，本発明の同軸ケーブルコネクタに対するケーブルの装着に係る説明を行う。先ず，前記ケーブル挿着手段を構成する抜け止め具１３０について説明する。図１０は抜け止め具の具体例であり，（ａ）の正面図に示すように，略円盤状に形成され，弾性を有する金属，例えばバネ用ステンレスで形成されている。
この抜け止め具１３０は，コネクタ本体４１の中心軸と同心円を形成するリング状の係止部１３０ｂと，該リング状の係止部１３０ｂに内側に，係止部１３０ｂの中心線方向に向けて突設させた咬持部としての複数の爪部１３０ａとから成る。
係止部１３０ｂには，１３０ｃで示される係止爪が形成されている。この係止爪１３０ｃは，係止部１３０ｂからコネクタ前方に突出するように係止部の周縁に１又は複数個，折り曲げ形成されている。
爪部１３０ａの先端部の形状は本願の実施例においては台形形状をしているが，ケーブルの挿入を容易とするならば先端分を鋭角的に尖らせてもよいし，更にはケーブルの引き抜き方向の力に対する耐力をより強くするためには，爪部１３０ａが形成する内径が装着するケーブル７の外径より小さな径で形成され，その先端はケーブル７に線接触するように，内周がケーブルの径に合わせたアールを設けて形成してもよく，特に限定されるものではなく，ケーブルを保持するに要求される所定の保持力に対して最適な形状をなすようにすればよい。
【００２９】
更には，爪部１３０ａは，図１０（ｂ）のＡ−Ａ線端面図に示すように，コネクタ前方となるコネクタ本体４１の内部方向に，折り曲げ角θを例えば約４５°として折り曲げ形成され，抜け止め具１３０全体は前方に窄み形成した略円錐形状としてもよい。
このように折り曲げることで，ケーブルの挿入操作の際爪部１３０ａは容易に拡径するので，挿入操作をスムーズに実施できる。また，このように形成した場合であっても挿入したケーブルに引っ張り応力が加わった場合，爪部１３０ａがケーブルに確実に食い込むので，抜け落ちることがない。
【００３０】
尚，抜け止め具１３０作製の際，打ち抜きにより作製し，その後爪部１３０ａを折り曲げることになるが，爪部１３０ａの打ち抜きは前方（図１０（ｂ）の左側）から打ち抜くと良い。こうすることで，その反対側となる爪部１３０ａのケーブル７に接触する端部（図１０（ｂ）左側の内周端部）が鋭角に形成され，ケーブル７を確実に咬持操作するよう作製できる。また図４では，爪部１３０ａが１２箇所に形成されているが，切り欠きの幅を変更することで容易にその数を変更できる。
【００３１】
このように形成された抜け止め具１３０は，図９（ａ）に詳しく説明されている，コネクタ本体４１の後部に形成されたケーブル挿通孔１４３に組み付けられる。このケーブル挿通孔１４３の開口端部内周には，前記抜け止め具１３０に対応するように，前記抜け止め具１３０の嵌合部が形成されている。
この嵌合部には段部１４３ａが形成されている。この段部１４３ａは，周径が前記抜け止め具３の係止部１３０ｂが内接される大きさに形成されていると共に，前記抜け止め具１３０の係止部１３０ｂを段部１４３ａに当接するように載置したときに，前記係止部１３０ｂに備えた係止爪１３０ｃに対向する位置には，該係止爪１３０ｃが挿入されて嵌合する嵌合溝１４３ｃが形成され，前記係止爪１３０ｃと嵌合溝１４３ｃとは嵌合して取付けられる。更にケーブル挿通孔の開口部外周には，雄ねじ１４３ｂが形成されている。
【００３２】
図１及び図２に示される１３は，略中心に同軸ケーブル７を挿通するための挿通孔１２を有すると共に，内部には前記コネクタ本体の後方側端部に形成された雄ねじ１４３ｂに螺合するように形成された雌ねじ１３ｂが形成されて，前記コネクタ本体４１の後端部にに着脱自在に構成された蓋体である。この蓋体１３は，コネクタ抜け止め具１３０をコネクタ本体４１内に固定するためのものであり，抜け止め具１３０はこの蓋体１３内面と前記段部１４３ａとの間に形成される間隙に挟まれて，軸線方向の移動を阻止されると共に，前記係止手段によって軸線を中心軸とした回転を阻止されて取付けられるのである。
尚，この抜け止め具１３０の異なる実施例を図１１（ａ），（ｂ）に示す。この実施例における抜け止め具は前記係止爪１３０ｃの変わりに係止部１３０ｂに切欠部１３０ｄを形成したものであり，ケーブル挿通孔１４３における嵌合部は，図９（ｂ）に示されるように，段部１４３ａから延設された，前記切欠部１３０ｄに嵌合する突起１４３ｄを備えたものであり，この嵌合においてコネクタ抜け止め具１３０の回転を阻止するように取付けられるのである。
尚，この実施例においては蓋体１３が請求孔に記載の固定手段であり，前記ケーブル挿着手段を構成するものである。
【００３３】
次に，上記コネクタの組立て及びケーブルへの装着手順を説明する。コネクタの組立ては，先ず接続手段５０の前方から第２の円筒状部４７の円筒状挿入部６が後方に突出するように挿入しておく。次に接続手段５０が取付けられた第２の円筒状部４７を第１の円筒状部４４に形成された嵌合孔４３から挿入して，第１の円筒状部４４と第２の円筒状部４７とが連結される。この時，第２の円筒状部４７は圧入等により両者は固着一体化されコネクタ本体４１となる。この状態で，接続手段５０の内面に形成された凸部５３がコネクタ本体４１の外周に形成される環状溝部４８に嵌め込まれ，接続手段５０は回転自在に第２の円筒状部（即ち，コネクタ本体４１）に連結される。
その後，上述するようにケーブル挿通孔１４３から抜け止め具１３０をコネクタ本体４１に形成された嵌合部に装着し，蓋体１３を締付けることによって，コネクタは完成する。
【００３４】
ケーブル７の装着操作は次のように実施される。最初に挿入するケーブル７端部を加工する。具体的には図２に示すように，中心導体７ａ及び内部絶縁体７ｂが所定の長さに露出されるよう内部絶縁体７ｂ及び保護被覆７ｄを切除し，円筒状挿入部６が挿入し易いように，外部導体７ｃを保護被覆７ｄ上に捲りあげる。後は，ケーブル７をコネクタ本体１の後方から挿入操作すれば良い。
図２はケーブル挿入前の状態であり，装着完了した状態は図１のようになる。ケーブル７の挿入は，保護被覆７ｄがケーブル挿通孔１４３の底面に当接する所定位置まで行われる。こうすることで，円筒状挿入部６は内部絶縁体７ｂと外部導体７ｃの間に挿入され，外部導体７ｃとコネクタ本体４１とは円筒状挿入部６を介して確実に電気的接続が成されるし，円筒状挿入部６の作用によって，保護被覆７ｄが周囲にせり上がって行くので，コネクタ本体４１の内部に形成された帯状突起４５が確実に保護被覆に食い込むことになり，ケーブル７は回転応力が加わっても容易に回転することがなく，良好な接続状態を維持できる。
そして，爪部３ａは上述するように確実にケーブル７を咬持するよう作用する。更に，中心導体７ａの先端は接続手段５０の先端位置まで突出し，接続手段５０の中心軸（Ｍ）上にケーブル７の中心導体が配置され，接続手段の中心導体を得る。
【００３５】
尚，図において，７ｅはアルミ箔を示している。同軸ケーブルの外部導体は，網状の導体（上述する編組７ｃ）とその内側に設けられたアルミ箔７ｅから構成されているのが一般的であり，このようにアルミ箔７ｅを有する場合，ケーブル端部加工の際，アルミ箔７ｅは捲ること無く内部絶縁体７ｂに沿わせたままで，円筒状挿入部６はアルミ箔７ｅと網状の導体（上述する外部導体７ｃ）の間に挿入される。
本発明の実施例に使用されている同軸ケーブル７は，中心導体７ａと，該中心導体７ａを中心に保持して取り巻くように備えられた内部絶縁体７ｂと，外部導体としての編組７ｃとアルミ箔７ｅ，保護被覆７ｄが同心配置するように構成されたものが示されているが，外部導体としての編組７ｃだけを備えた同軸ケーブルであっても良いし，更に編組が二重になった同軸ケーブルでもよく，同軸ケーブルの種類は特に実施例に限定されるものではない。
【００３６】
ここで，前記固定手段の異なる実施例を図１２及び図１３を用いて説明する。この実施例は抜け止め具１３０をコネクタ本体に固着する方法が異なるものであり，コネクタ抜け止め具１３０を段部１４３ａに載置してから，ケーブル挿通孔１４３の外周縁１４４をカシメ若しくはへら押などによって縮径する事によって，抜け止め具１３０をコネクタ本体内に固着する。この場合，ケーブル挿通孔１４３に蓋体１３は必要ないし，ケーブル挿通孔の外周には雄ねじ１４３ｂは形成する必要がない。 
【００３７】
以上，本発明の同軸ケーブルコネクタによれば，コネクタに装着した同軸ケーブルは，抜け止め具１３０の作用により引っ張り応力が加わっても抜けてしまうようなことがなく，堅牢な装着ができる。それでいて，蓋体１３を外せば抜け止め具１３０が咬持された状態でコネクタ本体４１から同軸ケーブル７を容易に抜き取ることができるので，ケーブル交換等の作業を容易に実施できる。更に，同軸ケーブルの端部を所定の形状に処理してコネクタ本体４１に挿入すれば，コネクタ装着が完了してコネクタ部が完成するので，コネクタ装着も容易である。また，外したコネクタを再利用できるので無駄がない。
また，抜け止め具１３０はケーブルの挿入をスムーズに実施できるばかりでなくこれ自体でケーブル７の回転を阻止できるので，前記帯状突起４５と合わせてケーブルの回転を阻止でき，良好な接続状態を維持できる。
【００３８】
また，このようにして同軸ケーブルが装着された同軸ケーブルコネクタは，その接続対象のＦ型レセプタクルが雌ネジ部に当接するまでは摺動によって挿着し，当接した後はＦ型レセプタクルの先端部に前記雌ねじ部を螺合させれば接続が完了するので，接続作業が簡単で時間短縮が可能になる。また，この螺合回数を略３回転とすることにより，引き抜け方向に対する引っ張り力に対して所定値以上の強度を有することができる。また，接続手段には，凸凹手段や指掛けを備えた円筒状操作手段を設けることで，凸凹の滑り止め効果や指掛けの押圧力の受止作用により，指先だけの力だけでも簡単・強固にＦ型レセプタクルに締付けることができる。つまり，パソコンや小型液晶テレビ等の持ち運びができる端末側装置を使って，必要なときに必要な場所でテレビを楽しむような使い方をする場合でも，接続や取り外しの煩雑さの少ない操作性のよさと，指先に負担がかからない取扱性の良さをもつ，使い勝手の優れたものと成る。そして，ケーブルはコネクタ本体４１内に形成した帯状突起や，抜け止め具によって確実に保持されているので，接続や取り外しに伴うケーブルへの回転応力や引張り力に対して信頼性の高いものとなる。
また，このようにケーブルが装着やＦ型レセプタクルに対する接続作業が簡単にできても，高周波特性に加え外部からの妨害電波に対するイミュニティー特性にも優れているので，この同軸ケーブルコネクタを採用すれば，特別な技術を持たくても，例えばテレビ端子とディジタル放送受信用チューナ内蔵テレビとの接続などのような，ディジタル放送受信に最適な配線が可能になる。
【００３９】
加えて，接続手段の本体部分を構成する円筒状基部には２面幅が形成してあり，円筒状操作手段に形成した貫通孔から，円筒状基部に形成された２面幅に対して直接工具を当付て締付作業ができる。つまり，円筒状操作手段と２面幅の位置が円筒状受け口部の後方の略同じ位置に重なるように配設された構成に成っているので，コネクタの前後方向の長さを小型にでき，例えば接続対象のＦ型レセプタクルが円筒状の空間に埋め込まれた非突出型のテレビ端子であっても，その接続作業は指先で行ってもできるが，接続対象のＦ型レセプタクルがテレビ台などの背面にある壁面に設置されたテレビ端子である場合のように，一度接続したら取り外しをしないような恒久的な接続には，工具を使っての接続を行うことができるので，指先に負荷を加えることなく強固に増し締めができる。また，２面幅が従来のネジ式Ｆ型コネクタと同じである１１ｍｍであるので，一般的に市販されている工具や家庭にあるような工具が使え，利便性の面でも優れている。そして装着後も，軸方向の寸法が短いことから，テレビ背後の限られた空間であっても，テレビ端子への接続でってもスッキリと配線できるのである。
また，この同軸ケーブルコネクタは，同軸ケーブル端部への接続が簡単であるばかりでなく，接続対象のＦ型レセプタクルへの接続の時間短縮ができ，しかも強固に接続できることから，テレビ端子とテレビ受像機との接続ばかりでなく，宅内の分配器や直列ユニットなどを接続する同軸ケーブルに使用することによって，施設工事の工期短縮が可能となると言った，ディジタル放送対応テレビ受信の宅内配線システムにも好適な高性能・高信頼の同軸ケーブルコネクタを提供できるのである。
【００４０】
尚，前記コネクタ本体は，第１の円筒状部４４の軸線と，第２の円筒状部４７の軸線が略直交するように配設され，コネクタが略Ｌ字型となるように構成してもよいなど，本発明は上記実施の形態に限定されるものではなく，本発明の趣旨を逸脱しない範囲で各部の構成を適宜に変更して実施することも可能である。
【図面の簡単な説明】
【００４１】
【図１】本発明に係る同軸ケーブル用コネクタの第１の実施形態を示し，同軸ケーブルを挿入した状態を一部断面で示した同軸ケーブル用コネクタである。
【図２】図１の同軸ケーブル用コネクタにおける同軸ケーブル挿入前の側面図である。
【図３】図１の同軸ケーブルコネクタにおけるコネクタ本体を説明するための一部断面で示した側面図である。
【図４】同軸ケーブルコネクタを構成する接続手段の一部断面を示す説明図であり，（ａ）は上面図，（ｂ）は側面図をしめす。
【図５】接続手段に備える円筒状操作手段の一部断面を示す説明図であり，（ａ）は上面図，（ｂ）は側面図を示す。
【図６】接続手段に円筒状操作手段を取付けた状態の説明図であり，（ａ）は上面図，（ｂ）は側面図。
【図７】円筒状操作手段の異なる実施例を備えた接続手段の説明図であり，（ａ）は上面図，（ｂ）は側面図である。
【図８】はコネクタをテレビ端子に接続するときの説明図であり，（ａ）は接続前の状態を示し，（ｂ）は接続後の状態を示す。
【図９】図３に示すコネクタ本体のケーブル挿通孔を説明するために拡大して示す斜視図であり，（ａ）は本発明の実施例，（ｂ）は異なる実施例を示す。
【図１０】抜け止め具の説明図であり（ａ）は上面図，（ｂ）は側面から見た断面図である。
【図１１】抜け止め具の異なる実施例の説明図であり（ａ）は上面図，（ｂ）は側面から見た断面図である。
【図１２】本発明に係る同軸ケーブル用コネクタの異なる実施形態を示し，同軸ケーブルを挿入した状態を一部断面で示した同軸ケーブル用コネクタの側面図。
【図１３】図１２におけるコネクタ本体を説明するための一部断面で示した側面図である。
【図１４】図３におけるコネクタ本体の異なる実施例を説明するための一部断面で示した側面図である。
【図１５】図１４のコネクタ本体を使った同軸ケーブル用コネクタの異なる実施形態を示し，同軸ケーブルを挿入した状態を一部断面で示した同軸ケーブル用コネクタである。
【符号の説明】
【００４２】
６…円筒状挿入部，７…同軸ケーブル，７ａ…中心導体，７ｂ…内部絶縁体，７ｃ…外部導体，７ｄ…外部被覆，１２…挿通孔，１３…蓋体，１３ｂ…目ねじ，４１…コネクタ本体，４３…嵌合孔，４４…第１の円筒状部，４５…帯状突起，４６…円筒状止着部，４６ａ…中間地点，４６ｂ…鍔部，４７…第２の円筒状部，４８…環状溝部，４９…先端，４９ａ…段差，５０…接続手段，５１…円筒状基部，５１ａ…平面部，５２…ローレット，５３…凸部，５５…円筒状受け口部，５５ａ…すり割り，５６…リングバネ，５７…雌ネジ部，６１…接触リング，８０…テレビ端子，８２…パネル，８３…空間，８５…Ｆ型レセプタクル，１３０…抜け止め具，１３０ａ…咬持部，１３０ｂ…係止部，１３０ｃ…係止爪，１３０ｄ…切欠部，１４３…ケーブル挿通孔，１４３ａ…段部，１４３ｂ…雄ねじ，１４３ｃ…嵌合溝，１４３ｄ…突起，１４４…外周縁，１５１…円筒状円筒状操作手段，１５１ａ・１５１ｂ…貫通孔，１５２ａ・１５２ｂ…開口端面，１５３…凸凹，１５５…指掛け，２０１…挿通孔 
【図１】
2007273344.tif 000003
【図２】
2007273344.tif 000004
【図３】
2007273344.tif 000005
【図４】
2007273344.tif 000006
【図５】
2007273344.tif 000007
【図６】
2007273344.tif 000008
【図７】
2007273344.tif 000009
【図８】
2007273344.tif 000010
【図９】
2007273344.tif 000011
【図１０】
2007273344.tif 000012
【図１１】
2007273344.tif 000013
【図１２】
2007273344.tif 000014
【図１３】
2007273344.tif 000015
【図１４】
2007273344.tif 000016
【図１５】
2007273344.tif 000017